(57)【要約】      （修正有）【課題】患者に渡す薬剤の種類の間違いを防止でき、更に薬剤の在庫管理等ができる自動薬剤供給システムを提供する。【解決手段】ボックス収納部におけるボックスを載置するボックス載置部にはそれぞれに固有の位置ナンバーが付されている。ボックスにはＩＣタグが付されており、また、ボックスそれぞれに収容されている薬剤箱にはバーコードが付されている。これらのＩＣタグ情報およびバーコード情報は錠剤位置管理機構部６２で把握している。したがって、どこのボックスにどのような薬剤箱が収容されているかを錠剤位置管理機構部が予め把握していると共に、そのボックスがどこのボックス載置部に載置されているかも把握する。【選択図】図６
2007215575.tif 000002
【特許請求の範囲】
【請求項１】
薬剤が収容されているボックスを縦横に複数配列すると共に、鉛直方向に移動自在に配置されているボックス収納部と、該ボックス収納部に配置されているボックスを抽出してセットできるボックス選別部に分け、
前記ボックス収納部における鉛直方向に一列毎移動させたボックスのうち、選別されたボックスを抽出して前記ボックス選別部方向に搬送するボックス搬送手段と、
前記ボックス搬送手段により前記ボックス選別部方向に搬送されたボックスに対して、そのボックスを所定の計量手段に載せることで薬剤も含めたボックスの重量を測定する重量測定手段と、
前記重量測定手段により重量測定されたボックスを、前記ボックス選別部のボックス載置部に載置すると共に、ボックス載置部に載置されているボックスを鉛直方向に移動させるボックス移動手段と、
前記ボックス移動手段によりボックス取出口から取出せるように鉛直方向に移動したボックスに対して、その収容されている薬剤を分配してトレイに載せると共に、当該薬剤の補充を所定の手順に従って行う薬剤抽出手段と、
を備えてなる自動薬剤供給システム。
【請求項２】
前記薬剤抽出手段において、薬剤を分配してトレイに載せる様子を所定角度から撮像する撮像手段を備えたことを特徴とする請求項１に記載の自動薬剤供給システム。
【請求項３】
薬剤が収容されているボックスを縦横に複数配列して形成されたボックス収納部と、
前記ボックス収納部の前面側を縦横に移動して、所定のボックスを抽出すると共に、該抽出したボックスを所定の取出し自在な選別棚に格納するボックス抽出搬送手段と、
前記ボックス抽出搬送手段により搬送されるべくボックスに対して、そのボックスを所定の計量手段に載せることで薬剤も含めたボックスの重量を測定する重量測定手段と、
前記選別棚に格納されているボックスに対して、その収容されている薬剤を分配してトレイに載せると共に、当該薬剤の補充を所定の手順に従って行う薬剤抽出手段と、
を備えてなる自動薬剤供給システム。
【請求項４】
前記薬剤抽出手段において、薬剤を分配してトレイに載せる様子を所定角度から撮像する撮像手段を備えたことを特徴とする請求項３に記載の自動薬剤供給システム。
【発明の詳細な説明】
【技術分野】
【０００１】
本発明は自動薬剤供給システムに関し、詳しくは、薬剤をストックしておくボックスを自動的に選別して抽出すると共に、その選別されたボックスに収容されている薬剤の重量を測定するようにして、半自動的に補充できることを可能にした自動薬剤供給システムを提供する。
【背景技術】
【０００２】
従来技術における自動薬剤供給システムとして、種々のものが存在する。例えば、錠剤を迅速に排出し充填することができしかも小型の錠剤収納取出装置として特開２００５−２１１５４０号公報に開示されているものがある。これは筒状のドラム、ドラム駆動手段、ドラムの外面に取り付けた複数の錠剤カセット装着台と、この錠剤カセット装着台に着脱可能に装着される錠剤カセットと、この錠剤カセットから排出される錠剤をドラムの内側に案内する案内通路とを備える。また、ドラムの内側に昇降且つ回転可能に設けられ、アームに把持したバイアル瓶をドラムの上端または下端の開口部より外側に位置する受渡し位置と、案内通路を介して排出される錠剤を充填する錠剤充填位置との間で搬送する搬送ロボットを備える。搬送ロボットで把持したバイアル瓶の開口部が案内通路の出口と一致するように、ドラムと搬送ロボットの少なくとも何れかの位置を制御する。
【特許文献１】特開２００５−２１１５４０号公報（第３頁  図２）
【発明の開示】
【発明が解決しようとする課題】
【０００３】
しかしながら、従来技術で説明した錠剤収納取出装置においては、筒状のドラムの外面に複数の錠剤カセット装着台を取付ける構造となっているために、その占有するスペースが結構広くとることになり、小スペースな例えば、調剤店舗に設置するには不向きであるという問題がある。
又、本装置は、患者のレセプト（処方箋）を計算するパソコン等と連動するというものではないため、調剤をする際に作業の簡便化を図る構造となっていないという問題もある。
従って、患者のレセプトを計算するレセプト専用ＰＣとリンクし、各種の薬剤が種別毎に入った引出し箱（ボックス）を、そのレセプト専用ＰＣから取得された薬剤の順次取り出しが自動的に行い、作業の簡便化が図れると共に、装置自体が小スペースにも適応できるような構成にすることに解決しなければならない課題を有する。
【課題を解決するための手段】
【０００４】
上記課題を解決するために、本願発明の自動薬剤供給システムは、次に示す構成にすることである。
【０００５】
（１）自動薬剤供給システムは、薬剤が収容されているボックスを縦横に複数配列すると共に、鉛直方向に移動自在に配置されているボックス収納部と、該ボックス収納部に配置されているボックスを抽出してセットできるボックス選別部に分け、前記ボックス収納部における鉛直方向に一列毎移動させたボックスのうち、選別されたボックスを抽出して前記ボックス選別部方向に搬送するボックス搬送手段と、前記ボックス搬送手段により前記ボックス選別部方向に搬送されたボックスに対して、そのボックスを所定の計量手段に載せることで薬剤も含めたボックスの重量を測定する重量測定手段と、前記重量測定手段により重量測定されたボックスを、前記ボックス選別部のボックス載置部に載置すると共に、ボックス載置部に載置されているボックスを鉛直方向に移動させるボックス移動手段と、前記ボックス移動手段によりボックス取出口から取出せるように鉛直方向に移動したボックスに対して、その収容されている薬剤を分配してトレイに載せると共に、当該薬剤の補充を所定の手順に従って行う薬剤抽出手段と、を備えてなる。
（２）前記薬剤抽出手段において、薬剤を分配してトレイに載せる様子を所定角度から撮像する撮像手段を備えたことを特徴とする（１）に記載の自動薬剤供給システム。
【０００６】
（３）自動薬剤供給システムは、薬剤が収容されているボックスを縦横に複数配列して形成されたボックス収納部と、前記ボックス収納部の前面側を縦横に移動して、所定のボックスを抽出すると共に、該抽出したボックスを所定の取出し自在な選別棚に格納するボックス抽出搬送手段と、前記ボックス抽出搬送手段により搬送されるべくボックスに対して、そのボックスを所定の計量手段に載せることで薬剤も含めたボックスの重量を測定する重量測定手段と、前記選別棚に格納されているボックスに対して、その収容されている薬剤を分配してトレイに載せると共に、当該薬剤の補充を所定の手順に従って行う薬剤抽出手段と、を備えてなる。
（４）前記薬剤抽出手段において、薬剤を分配してトレイに載せる様子を所定角度から撮像する撮像手段を備えたことを特徴とする（３）に記載の自動薬剤供給システム。
【発明の効果】
【０００７】
本発明のように、ボックス（引出し箱）を収納する収納部と、指示された薬剤を選別しておく選別部のそれぞれの棚を設け、この間を自動的に引出し箱を移動させ、指示された薬剤を選択部にまとめることで作業者が間違った錠剤を選択しないように工夫されている。
又、引出し箱（ボックス）に、ＩＣタグを付け、収納されている薬剤の種類、その使用期限、収納されている重量を読み書きできるようにしたことで、患者に渡す薬剤の種類の間違いを防止でき、更に薬剤の在庫管理等ができる。
更に、作業者が取り出す引出し箱（ボックス）の作業ステージの下には、患者毎に選別した薬剤を一旦まとめて収納するトレイが収納されている。このトレイにもＩＣタグを付け、受付けた患者の名前などのデータが読み書きできるようにし、患者に渡す時点で受付けレセプト専用ＰＣに接続しているリーダ／ライタで照合し、患者の間違いを防止できる。
また、作業者が薬剤を取り出すときに、その様子をＣＣＤカメラで撮影し、それをデータとして保存する。このデータは後で、患者への供給間違い等の証明として参考にすることができる。
さらに、作業者が薬剤を引出し箱（ボックス）に収納したり補充するときには、薬剤の箱に描かれているバーコードを読ませ、逐次その引出し箱（ボックス）に付いているＩＣタグとのデータを照合し警報を出したり表示する機能を有することで、間違った薬剤の補充を未然に防止することが可能になる。
【発明を実施するための最良の形態】
【０００８】
本願発明に係る自動薬剤供給システムの実施形態について、以下、図面を参照して説明する。
【実施例１】
【０００９】
本発明に係る第１実施例の自動薬剤供給システムは、図１乃至図６に示すように、全体が縦型の直方体形状に形成され、薬剤を収納した複数のボックスを整列状態で収納するボックス収納部１１と、ボックス収納部１１におけるボックス１２を選択して取り出し、そのボックス１２の重さを測定すると共に選択されたボックス１２を取り出すボックス選別部１３と、選択されたボックス１２を引き出し、所望の量の薬剤を抽出してトレイ１４に載せる薬剤抽出部１５と、薬剤抽出部１５の近傍位置に複数のトレイ１４を積み重ねて収納してあるトレイ収納部１６と、薬剤抽出部１５において薬剤をトレイ１４に分配する様子を撮像するＣＣＤカメラで構成されている撮像部１７と、現在取り出す薬剤の種類等を表示する表示部１８とから大略構成され、薬剤抽出部の出口近傍位置に取り出したボックスに付いていいるＩＣタグに読み書きするリーダ／ライタ１９、トレイ収納部のトレイの横位置にはトレイについているＩＣタグに読み書きをするリーダ／ライタ２１、表示部の近傍位置には、薬剤箱に付いているバーコードを読むバーコードリーダ２２を備えている。
【００１０】
ボックス収納部１１は、１行に４個のボックス１２が載置することができるボックス載置部２３を配置し、合計１３行からなるボックス１２を載置するボックス載置部２３を観覧車の如く鉛直方向に移動させる構造となっている。これらのボックス１２を載置するボックス載置部２３の物理的な位置は予め決められており、又、そのボックス載置部２３に載置されるボックス１２もＩＣタグにより予め、特定され、どのような種類の薬剤が収容されているか等が解かる構造となっている。この点については後述する。
【００１１】
又、このボックス収納部１１の上部位置には、選別された特定のボックスを搬送するボックス搬送部２４を設けた構造となっている。
ボックス搬送部２４は、配列されているボックスに沿った方向に動く搬送体２５で形成され、この搬送体２５が１行で４個配列されているボックス１２の内、任意の１個を選択して取り出し、ボックス選別部１３方向に搬送する。
ここでの取り出し手法であるが、ボックス１２はボックス載置部２３の両腕にボックス１２の鍔部を単に載せた状態で載置されているため、ボックス本体を少々浮かせるか或はそのまま引張り出すことで簡単に取り出すことができる構成になっている。
ボックス選別部１３方向に搬送されたボックス１２は、先ず、重量測定部２６に送られ、重量の測定が行われる。この重量測定部２６は電子天秤２７で構成され、その電子天秤２７に薬剤を収容してあるボックス１２を載せることで計量される。
計量が終了すると、その計量されたボックス１２は重量測定部２６の奥側にあるボックス収納部１２と同一配列にある観覧車の如く回転するボックス選別部１３に送られ、ボックス選別部１３のボックス載置部にボックスを載置する。
このボックス選別部１３の観覧車の如く回転する手法は、ボックス収納部１１の観覧車の如く回転する駆動部をそのまま利用する構造でもよく、又は独自に回転駆動する構造であってもよく、要は選別されたボックス１２を薬剤抽出部１５まで下降させて搬送できればよい。
【００１２】
ボックス選別部１３は、上述したように観覧車の如く回転する一列のボックス載置部２８を備えた構成になっており、このボックス載置部２８に選択されたボックス１２が載置される。従って複数の錠剤が必要である場合には、複数のボックス載置部２８に複数のボックス１２が載置されることになる。
そして、単一或は複数の選択されたボックス１２がボックス載置部２８に載置されると、観覧車が回転して一番最初のボックス１２が錠剤抽出部１５の取出し口２９に導かれる。
錠剤抽出部１５には、ボックス１２に設けてあるＩＣタグの情報を読み取り或は書き込むためのリーダ／ライタ１９が備えられており、ボックス１２を取り出すときに、ボックス１２に取り付けられているＩＣタグの情報を読み取り、実際に所望の調剤であるか否かの検査、薬剤の種類、その使用期限・収納されている重量等を読み出して、患者に渡す薬剤の種類の過誤防止や薬剤の在庫管理をする。
【００１３】
これらの取り出したボックス１２内に収納されている薬剤箱の中から所望の薬剤を取り出して近傍位置にあるトレイ１４に載せる。この作業を薬剤が複数種類であれば、その種類ぶんだけ錠剤抽出部１５からボックス１２を取り出してはそのボックス１２に収納されている錠剤箱内に収められている錠剤を取り出してトレイ１４に載せる作業を行う。
【００１４】
トレイ１４はトレイ収納部１６に積層された状態で収納され、一番上のトレイ１４は横に設けてあるリーダ／ライタ２１でトレイ１４に設けてあるＩＣタグの情報を読み出し或は書き込みを行う。
このように、患者毎に選別した薬剤を一旦まとめて収納するトレイ１４が収納され、このトレイ１４にはＩＣタグを付け、患者の名前等のデータが読み書きできるようにし、患者に渡す時点でリーダ/ライタで照合をして患者の間違いを防止できるようになっている。
【００１５】
次に、上記構成からなるシステムにおけるソフトウェアの駆動及び信号の流れについて、図６を参照して説明する。
【００１６】
図６に示すように、本願発明のシステムは、薬局等のユーザが来訪する場所に設置されているパソコン等で構成されているユーザ制御部５１と、薬剤を自動的に選別して取り出すことができる本装置５２に接続されているマシン制御部５３とからなる。このマシン制御部５３は、本装置５２を複数個配置した場合に、それぞれにネットワークＩ／Ｆ５４を介してユーザ制御部５１に接続できる構成になっている。
ユーザ制御部５１は、通常のパソコンで構成されており、記録部５５を備え、表示部５６、キーボード５７、プリンター５８を備えた構成になっており、唯一特異な点はＩＣタグ用リーダ／ライタ５９を備えた構成になっていることである。
【００１７】
ＩＣタグ用リーダ／ライタ５９は、患者が持参してきたレセプト（処方箋）を読ませるもので、レセプトにはＩＣタグが取り付けられていることが前提となっている。尚、実施例においてはＩＣタグを読み込む構成になっているが、これに限定されることなくユーザ制御部５１に取り込む手法であればバーコード等の手法でもよいことは勿論のことである。もし、バーコードを使用した場合には、ＩＣタグ用リーダ/ライタの代わりにバーコードリーダーを取り付けた構成にする必要がある。
【００１８】
さて、ここで患者のレセプトをＩＣタグ用リーダ／ライタで読み込むと、その情報は、ユーザ制御部で処理され、患者の名前、その薬の種類や、量等の情報がマシン制御部に送られる。
【００１９】
マシン制御部５３は、記録部６１を備え、ボックスを駆動させたりトレイを駆動させる等の様々な駆動制御をする構成になっており、先ず、ボックスと錠剤の位置関係を特定させる錠剤位置管理機構部６２と、ボックスの移動管理をする錠剤ボックス機構部６３と、選別したボックスを選択して抽出し、測量測定するボックス選別機構部６４と、選別されたボックスに対してその量を測定することで補充の有無を促がすことができる錠剤量管理機構部６５と、積層されているトレイに患者特有の名前を付与するトレイ管理機構部６６と、表示部６７と、アラーム部６８と、画像読取部６９とを備えた構成になっている。
【００２０】
錠剤位置管理機構部６２は、ボックス収納部１１における複数のボックス１２のそれぞれの物理的な位置関係を把握すると共に、その把握されている特定のボックス１２に収納されている薬剤箱の種類を把握管理する。ここで、ボックス収納部１１におけるボックス１２を載置するボックス載置部２３はそれぞれに固有の位置ナンバーが付されている。更に、ボックス１２にはＩＣタグが付されており、そのＩＣタグ情報は、錠剤位置管理機構部６２で把握し、どこのボックス載置部２３に載せてあるかを予め解かるようになっている。又、このボックス１２のそれぞれには薬剤箱が収容されているが、この薬剤箱にはバーコードが付されており、そのバーコード情報も錠剤位置管理機構部６２で把握している。そのため、どこのボックス１２にどのような薬剤箱が収容されているかということを錠剤位置管理機構部６２は予め把握していると共に、そのボックス１２がどこのボックス載置部２３に載置されているかも把握しているのである。
従って、ユーザ制御部から患者の処方箋情報を受領したマシン制御部は、先ずその処方箋情報に基づいて、薬剤の種類を特定することで、どこのボックスに収容されているかを特定し、そのボックスがどこのボックス載置部に載置されているかも把握することができるのである。
【００２１】
錠剤ボックス機構部６３は、錠剤位置管理機構部６２によるボックスの絶対的な位置関係の把握を利用して、ボックスの移動管理を行うもので、現在目的とするボックスはボックス収納部１１のどの位置に存在するかを把握することで、最も効率良く観覧車の如く回転させることが可能になる。
【００２２】
ボックス選別機構部６４は、錠剤ボックス機構部６３によりボックスの位置管理情報に基づいて、特定のボックスを抽出できる上部位置に回転させてボックス搬送部２４に移動させるように制御する。ボックス搬送部２４に目的とするボックスが到達すると、次に搬送体２５を移動させて目的とするボックスを薬剤箱を収容した状態で抽出する。そして、薬剤箱を搭載した選別されたボックスは、その重さを量るために重量測定部２６方向に移動され電子天秤２７に載せられて、実際の重さを計量する。この重さを計量することで、今回の薬剤箱に入っている薬剤を差し引くと、残りの薬剤の量が解かり、補充するか否かの判断をすることができのである。
計量後は、ボックス選別部１３に移動させ、ボックス載置部２８に載置され、観覧車の如く回転をして下降して薬剤抽出部１５まで下降する。
ここで、下降は停止し、薬剤抽出部１５から目的とする薬剤箱を収容したボックスを取り出すことができるのである。
【００２３】
トレイ管理機構部６６は、積層してあるトレイを主に管理する機構で、積み重ねてあるトレイに対して、ユーザ制御部５１で取り込んだレセプトに基づいて、その患者のレセプトに応じた薬剤を収容するために、トレイ１４に備えてあるＩＣタグにリーダ／ライタ２１で患者の情報を書き込む操作をしておく。そして、上述したボックス選別機構部６４により目的とするボックス１２が薬剤抽出部１５まで運ばれてきたときに、そのボックス１２内に収容されている薬剤が今回のレセプトに記憶されているものかをトレイ１４のＩＣタグから読み込むことで確認をする。
【００２４】
表示部６７は、上記説明した種々の機構部において様々な状態を表示するもので、例えば、現在目的とするボックス１２が選択されたこと、その選択されたボックス１２の重量測定において、重量が不足しているために薬剤の補充をすべきことの喚起、正しいボックスが選択され、且つ所定の薬剤が抽出されたことの確認表示、等様々なものが表示される。
【００２５】
アラーム部６８は、上記表示部６７に表示されるものに加え、例えば、ボックスに収納されている錠剤ケースのバーコードを読取ったときに、正しい錠剤ケースのバーコードが読まれなかったときなどに警告音等を発生させて間違いを促がす等する。
【００２６】
画像読取部６９は、撮像部１７を制御するものであり、薬剤抽出部１５から薬剤を取り出すときに、その様子をＣＣＤカメラで撮影し、それをデータとして保存する。このデータは後で患者への供給間違い等の無罪証明として参考にすることができる。
【００２７】
以上のような構成からなる自動薬剤供給システムにおいて、患者のレセプトを受信してから実際に薬剤をトレイに取り出すまでの装置の動き、処理形態について、図７に示すフローチャートを参照にして、図１乃至図６を参考にして、以下説明する。
【００２８】
先ず、ユーザ制御部において患者のレセプト（処方箋）を受信すると、その処方箋の情報は、ユーザ制御部を介して本装置が設置されているマシン制御部に送られる（ステップＳＴ１１）。
マシン制御部において、レセプトの情報から錠剤を特定し、ボックスに収納されている錠剤を選別するように、錠剤ボックス機構部６３を制御する。すると、ボックス収納部に収納されているボックスが観覧車の如く回転してボックス搬送部方向に動く。そこで、ボックス搬送部の搬送体が目的とするボックスを選別して搬送し、重量測定部で重量を測定した後にそのボックスはボックス選別部に送られボックス載置部に載せられる。
この作業は、レセプトで指定された全ての錠剤について行われ、ボックス選別部のボックス載置部に指定した錠剤を収容しているボックスを載せる（ステップＳＴ１２、ＳＴ１３）。
【００２９】
そして、全ての錠剤のセットが完了した時点で、そのボックス選別部のボックス載置部に搭載されているボックスが薬剤抽出部方向に移動して、最初に搭載されたボックスが取出し口から取出せるようになる（ステップＳＴ１４）。
引出し口から取出したボックスに収容されている錠剤ケースから必要分の錠剤を取出し、トレイに入れる（ステップＳＴ１５）。
【００３０】
そして、必要分の錠剤を取出しときに、その錠剤を補充するべきか否かを判断する。これは、ボックス選別部にボックスが送られたときに重量測定部で重量を測定した結果に基づいて、補充すべきか否かを判断するもので、もし補充する場合には、補充する錠剤ケースに付与されているバーコードを表示部の下部位置に設置されているバーコードリーダで読取る（ステップＳＴ１６、ＳＴ１７）。
読取ったバーコードが正しい錠剤のバーコードでない場合には、警告を出し、そうではなく正しい錠剤のバーコードである場合には、次に錠剤を補充する（ステップＳＴ１８、ＳＴ１９）。
【００３１】
錠剤の補充がなされたボックスは取出し口より仕舞い込むと、次の錠剤のボックスが存在する場合には、取出し口より次のボックスを取出し、同じように必要分の錠剤を取出してトレイに入れる（ステップＳＴ２０、ＳＴ２１）。もし補充が必要であれば、補充の作業をし、全ての錠剤の取出しが完了するまで行う。
【００３２】
全ての錠剤の取出しが完了したときに、錠剤が入れられてトレイを取出し、処理完了したことを送信すると共に、そのトレイをユーザ制御部のリーダ／ライタで照合することで、患者の間違いを防止できるようになっている（ステップＳＴ２２、ＳＴ２３）。
【実施例２】
【００３３】
次に、本願発明に係る第２実施例の自動薬剤供給システムについて、図面を参照にして以下説明する。
【００３４】
第２実施例の自動薬剤供給システムは、図８乃至図１１に示すように、薬剤ケースを収容したボックスを縦横に配列しておき、その中から目的とするボックスに対してＸ軸方向に動き、次にＹ軸方向に動く、或はＹ軸方向に動いてからＸ軸方向に動くことにより、ボックス抽出搬送部で目的とするボックスを取り出し、取り出したボックスを持った状態でＸ／Ｙ軸方向に動いて選別棚部にそのボックスを載置するというものであり、第１の実施例のように、ボックス収納部のボックス自体を観覧車の如く回転する機構を省き、ボックスは所定位置に固定されていて、その替わりにボックス抽出搬送部がＸ／Ｙ軸方向に動くというところに大きな特徴がある。
【００３５】
その構成は、図に示すように、実施例において横６列で縦１６行で合計して９６個のボックスを装着自在な状態で整列状態に配置してなるボックス収納部５２と、このボックス収納部５２の前面側をＸ軸方向或はＹ軸方向に移動してボックス５１自体を抽出して載置するスペースを複数個、実施例においては２個のボックス載置部５３を備えたボックス抽出搬送部５４と、ボックス抽出搬送部５４の前面部分に取付けられ、上部位置に抽出したボックスの重さを測定する重量測定部５５を備え、略中間位置に操作状態等を表示するためのディスプレイを備えた表示部５６を備え、その表示部５６の下部位置には、ボックス抽出搬送部５４で抽出されたボックス５１を複数個一時保管するための選別棚部５６と、この選別棚部５６の下部位置に積層されたトレイ５７を収納するトレイ収納部５８とから大略構成されている。
【００３６】
ボックス抽出搬送部５４は、Ｘ軸方向に駆動する駆動部を備えて左右方向に移動でき、Ｙ軸方向への駆動はボックス収納部５２の左右端に備えてあるＹ軸駆動部５９によりＸ軸も含めて上下方向に移動できる構成となっている。そして、目的とするボックス５１の位置まで移動すると、その目的とするボックス５１を取り出してボックス載置部５３に収納する。ここで、次に必要とするボックス５１が存在する場合には、そのボックス５１の位置まで移動し、そのボックスをもう一つのボックス載置部５３に収納する。２つのボックス５１を収納した時点で、ボックス抽出搬送部５４は、選別棚部５６方向に移動して、選別棚部５６の棚に抽出したボックス５１を収納する。これで、必要とするボックス５１が選別棚部５６の棚に収納され、棚の数、実施例において６個の棚が全て埋まるまでを最大限として、ボックス５１を抽出しては、棚に収納する作業を繰り返し行う。
【００３７】
重量測定部５５は、ボックス抽出搬送部５４で抽出したボックス５１を電子天秤６１の上に載せることで、薬剤箱に入っている、薬剤の量を知ろうとするものであり、
【００３８】
トレイ収納部５８は、積層されているトレイ５７のうち、一番上のトレイ５７の横にリーダ／ライター６２が取付けてある。このリーダ／ライタ６２でトレイ５７に設けてあるＩＣタグの情報を読み出し或は書き込みを行う。
このように、患者毎に選別した薬剤を一旦まとめて収納するトレイ５７が収納され、このトレイ５７にはＩＣタグを付け、患者の名前等のデータが読み書きできるようにし、患者に渡す時点でリーダ／ライタ６２で照合をして患者の間違いを防止できるようになっている。
【産業上の利用可能性】
【００３９】
ボックス（引出し箱）を収納する収納部と、指示された薬剤を選別しておく選別部のそれぞれの棚を設け、この間を自動的に引出し箱を移動させ、指示された薬剤を選択部にまとめることで作業者が間違った錠剤を選択しないように工夫され、又、引出し箱（ボックス）に、ＩＣタグを付け、収納されている薬剤の種類、その使用期限、収納されている重量を読み書きできるようにしたことで、患者に渡す薬剤の種類の間違いを防止でき、更に薬剤の在庫管理等ができる自動薬剤供給システムを提供する。
【図面の簡単な説明】
【００４０】
【図１】本発明の第１実施例の自動薬剤供給システムの全体像を略示的に示した説明図である。
【図２】同、ボックス収納部の扉を開いた状態の全体像を略示的に示した説明図である。
【図３】同、ボックス収納部の断面図である。
【図４】同、ボックス収納部の平面図である。
【図５】同、ボックス収納部の側面図である。
【図６】システムの制御関係を示したブロック図である。
【図７】同、システムの作業手順を示したフローチャートである。
【図８】本発明の第２実施例の自動薬剤供給システムの全体像を略示的に示した説明図である。
【図９】同、ボックス収納部の断面図である。
【図１０】同、ボックス収納部の平面図である。
【図１１】同、ボックス収納部の側面図である。
【符号の説明】
【００４１】
１１      ボックス収納部
１２      ボックス
１３      ボックス選別部
１４      トレイ
１５      薬剤抽出部
１６      トレイ収納部
１７      撮像部
１８      表示部
１９      リーダ／ライタ
２１      リーダ／ライタ
２２      バーコードリーダ
２３      ボックス載置部
２４      ボックス搬送部
２６      重量測定部
２７      電子天秤
２８      ボックス載置部
２９      取出し口
５１      ユーザ制御部
５３      マシン制御部
５４      ネットワークＩ／Ｆ
５５      記録部
５６      表示部
５７      キーボード
５８      プリンター
５９      ＩＣタグ用リーダ／ライタ
６１      記録部
６２      錠剤位置管理機構部
６３      錠剤ボックス機構部
６４      ボックス選別機構部
６５      錠剤量管理機構部
６６      トレイ管理機構部
６７      表示部
６８      アラーム部
６９      画像読取部
７１      ボックス
７２      ボックス収納部
７３      ボックス載置部
７４      ボックス抽出搬送部
７５      重量測定部
７６      選別棚部
７７      トレイ
７８      トレイ収納部
７９      Ｙ軸駆動部
８１      電子天秤
８２      リーダ／ライタ
８５      撮像部。
【図１】
2007215575.tif 000003
【図２】
2007215575.tif 000004
【図３】
2007215575.tif 000005
【図４】
2007215575.tif 000006
【図５】
2007215575.tif 000007
【図６】
2007215575.tif 000008
【図７】
2007215575.tif 000009
【図８】
2007215575.tif 000010
【図９】
2007215575.tif 000011
【図１０】
2007215575.tif 000012
【図１１】
2007215575.tif 000013